(57)【要約】【課題】ＣＣＤカメラなどの撮像手段を搭載した携帯電話機に関連して、該携帯電話機を用いて撮影する場合に、携帯電話機の本体姿勢を確実に保持するための撮影機能付き携帯電話機用スタンドを提供することにある。【解決手段】撮影機能を備えた携帯電話機ＰＴにより画像撮影を行う場合に用いられる簡易スタンドであって、型抜きシート材でなり、携帯電話機を機体軸方向に挿入して支持するための筒状支持部２と、前記筒状支持部を接地面に対して所望の角度で起立させて保持するための接地脚部３とを備えたものからなることを特徴とする撮影機能付き携帯電話機用スタンド。【選択図】図１
2004328672.tif 000002
【特許請求の範囲】
【請求項１】
撮影機能を備えた携帯電話機により画像撮影を行う場合に用いられる簡易スタンドであって、型抜きシート材でなり、携帯電話機を機体軸方向に挿入して支持するための筒状支持部と、前記筒状支持部を接地面に対して所望の角度で起立させて保持するための接地脚部とを備えたものからなることを特徴とする撮影機能付き携帯電話機用スタンド。
【請求項２】
前記筒状支持部と接地脚部とが、一枚のシート材により一体的に形成されているものからなることを特徴とする請求項１に記載の撮影機能付き携帯電話機用スタンド。
【請求項３】
前記筒状支持部と接地脚部とが、異なるシート材により形成されており、前記筒状支持部と接地脚部とが分離可能な組み立て構造でなることを特徴とする請求項１に記載の撮影機能付き携帯電話機用スタンド。
【請求項４】
前記筒状支持部と接地脚部とが、それぞれ折り畳み可能であり、折り畳んだ状態で偏平化するものからなることを特徴とする請求項１〜請求項３のいずれかに記載の撮影機能付き携帯電話機用スタンド。
【請求項５】
前記筒状支持部には、挿入支持する携帯電話機の操作部などを外部操作可能なように所望の形態の抜き窓が設けてあることを特徴とする請求項１〜請求項４のいずれかに記載の撮影機能付き携帯電話機用スタンド。
【請求項６】
前記スタンドは、前記筒状支持部と、前記接地脚部における比較的短い長さ寸法でなる第１の部分と、前記接地脚部における比較的長い長さ寸法でなる第２の部分とにより、側面視三角形形状の各辺を形成するものからなり、前記接地脚部における第１の部分を接地側とした場合に、前記筒状支持部に挿入支持されている携帯電話機を接地面に対して比較的大きな角度θ１  で起立保持することができ、前記接地脚部における第２の部分を接地側とした場合に、前記携帯電話機を接地面に対して比較的小さな角度θ２  で起立保持することができるようにしたことを特徴とする請求項１〜請求項５のいずれかに記載の撮影機能付き携帯電話機用スタンド。
【発明の詳細な説明】
【０００１】
【発明の属する技術分野】
この発明は、ＣＣＤ（ｃｈａｒｇｅ−ｃｏｕｐｌｅｄ  ｄｅｖｉｃｅ）カメラなどの撮像手段を搭載した携帯電話機に関連して、当該携帯電話機を用いて撮影する場合に、携帯電話機の本体姿勢を確実に保持するための撮影機能付き携帯電話機用スタンドに関するものである。
【０００２】
【従来の技術】
周知のように、従来から携帯電話機などの携帯情報端末機が各方面にわたって多大に普及してきているが、特に、近年ではこの携帯情報端末機にＣＣＤカメラなどの撮像手段を内蔵して、撮影をしたり、あるいは撮影をした画像情報を通信することができるようになってきている。
【０００３】
しかしながら、上記するような撮像手段を内蔵する携帯情報端末機で画像を撮影する場合、当該携帯情報端末機（携帯電話機）それ自体が小型で軽量なため、画像取り込みキーを押す際に、手ぶれを起こしたり、あるいはセルフタイマーを使用して撮影するような場合に、当該携帯情報端末機を簡易的に確実に安定した状態で保持する手段がなく、いずれの場合も思うような画像が得られないという問題点を有していた。
【０００４】
【特許文献１】
特開２００１−３２６７１１号公報（段落番号００１９、段落番号００２９、図３および図９）
【０００５】
この特許文献１に記載の自立スタンドを兼ねる携帯電話機の握持機構によれば、携帯電話機本体１に対してフリップ２を回動可能に構成したものであり、この構成のものは、あくまでも携帯電話機自体を改造したもので、既存の携帯電話機への適用はできない。さらに、この特許文献１に記載のものは、携帯電話機自体に組み込んだ機械構造的なものであって、部品点数が多く構造が複雑であり、経済的な面においても極めて不経済なものである。
【０００６】
【発明が解決しようとする課題】
そこで、この発明は、ＣＣＤカメラなどの撮像手段を搭載した携帯電話機に関連して、当該携帯電話機を用いて画像撮影するような場合において、携帯電話機本体の姿勢を確実に、且つ、安定した状態で保持するためのものであって、既存の各種携帯電話機への適用が可能であるとともに、特別な部品点数を増やすこともなく、極めて簡単な構造でなり、紙シート材あるいはプラスチックシート材によって形成される極めて経済的な撮影機能付き携帯電話機用スタンドを提供しようとするものである。
【０００７】
【課題を解決するための手段】
この発明は、上記する目的を達成するにあたって、具体的には、撮影機能を備えた携帯電話機により画像撮影を行う場合に用いられる簡易スタンドであって、型抜きシート材でなり、携帯電話機を機体軸方向に挿入して支持するための筒状支持部と、前記筒状支持部を接地面に対して所望の角度で起立させて保持するための接地脚部とを備えたものからなる撮影機能付き携帯電話機用スタンドを構成するものである。
【０００８】
さらに、この発明は、前記筒状支持部と接地脚部とが、一枚のシート材により一体的に形成されているものからなる撮影機能付き携帯電話機用スタンドを構成するものである。
【０００９】
さらに、この発明は、前記筒状支持部と接地脚部とが、異なるシート材により形成されており、前記筒状支持部と接地脚部とが分離可能な組み立て構造でなる撮影機能付き携帯電話機用スタンドを構成するものである。
【００１０】
さらにまた、この発明は、前記筒状支持部と接地脚部とが、それぞれ折り畳み可能であり、折り畳んだ状態で偏平化するものからなる撮影機能付き携帯電話機用スタンドを構成するものである。
【００１１】
さらにまた、この発明は、前記筒状支持部には、挿入支持する携帯電話機の操作部などを外部操作可能なように所望の形態の抜き窓が設けてある撮影機能付き携帯電話機用スタンドを構成するものである。
【００１２】
さらにまた、この発明になるスタンドは、前記筒状支持部と、前記接地脚部における比較的短い長さ寸法でなる第１の部分と、前記接地脚部における比較的長い長さ寸法でなる第２の部分とにより、側面視三角形形状の各辺を形成するものからなり、前記接地脚部における第１の部分を接地側とした場合に、前記筒状支持部に挿入支持されている携帯電話機を接地面に対して比較的大きな角度θ１  で起立保持することができ、接地脚部における第２の部分を接地側とした場合に、前記携帯電話機を接地面に対して比較的小さな角度θ２  で起立保持することができるようにした撮影機能付き携帯電話機用スタンドを構成するものでもある。
【００１３】
【発明の実施の形態】
以下、この発明になる撮影機能付き携帯電話機用スタンドについて、図面に示す具体的な実施例にもとづいて詳細に説明する。図１は、この発明になる撮影機能付き携帯電話機用スタンド１の基本的な構成を示すものであり、当該スタンド１を接地脚部における第１の部分を接地側とし、これに仮想線で示すストレートタイプの撮影機能付き携帯電話機ＰＴ−Ｓを挿入セットした撮影使用状態の一例を示す概略的な斜視図である。
【００１４】
図２は、この発明になる撮影機能付き携帯電話機用スタンドを使用する異なる使用態様例を示すものであって、図２Ａは、スタンド１を接地脚部における第２の部分を接地側とし、これに折り畳みタイプの撮影機能付き携帯電話機ＰＴ−Ｆを挿入セットした撮影使用状態を示す概略的な側面図であり、図２Ｂは、同じく第２の部分を接地側とし、これにストレートタイプの撮影機能付き携帯電話機ＰＴ−Ｓを挿入セットして接写撮影の使用状態を示す概略的な側面図であり、図２Ｃは、図１に対応する概略的な側面図である。
【００１５】
一方、図３〜図６は、この発明になる撮影機能付き携帯電話機用スタンドのための型抜きシートに関して、４つの異なる例を展開して示すものであり、図３は、筒状支持部と接地脚部とが一枚シートにより構成され、筒状支持部が接着タイプの第１実施例になる型抜きシートの概略的な平面図であり、図４は、筒状支持部と接地脚部とが一枚シートにより構成され、筒状支持部が巻き込みタイプの第２実施例になる型抜きシートの概略的な平面図であり、図５は、筒状支持部（図５Ａ）と接地脚部（図５Ｂ）とが分離型である第３実施例になる型抜きシートの概略的な平面図であり、図６は、筒状支持部（図６Ａ）と接地脚部（図６Ｂ）とが分離型であり、接地脚部がアジャスト可能な構成の第４実施例になる型抜きシートの概略的な平面図である。
【００１６】
まず、図１にもとづいて、この発明になる撮影機能付き携帯電話機用スタンド１（以下、単にスタンド１とする）の具体的な構成について詳細に説明する。このスタンド１は、例えば、ＣＣＤカメラＣａを搭載する携帯電話機ＰＴにより画像撮影を行う場合に用いられる簡易スタンドである。このスタンド１は、紙製あるいはプラスチック製の型抜きシート材によって構成されている。なお、この発明になるスタンド１は、既存の各種携帯電話機、ストレートタイプの撮影機能付き携帯電話機ＰＴ−Ｓ並びに折り畳みタイプの撮影機能付き携帯電話機ＰＴ−Ｆのいずれに対しても使用することができる（図１および図２Ａ参照）。
【００１７】
この発明になるスタンド１は、前記携帯電話機ＰＴを機体軸方向に挿入して支持するための筒状支持部２と、前記筒状支持部２を接地面Ｓａに対して所望の角度で起立させて保持するための接地脚部３とを備えたものからなっている。このスタンド１における前記筒状支持部２と接地脚部３とは、図３および図４に示すように一枚のシート材により一体的に形成されているもの、あるいは、図５および図６に示すように、異なるシート材により形成されているもののいずれであってもよい。
【００１８】
一方、前記スタンド１は、前記筒状支持部２と、前記接地脚部３における比較的短い長さ寸法でなる第１の部分４と、前記接地脚部３における比較的長い長さ寸法でなる第２の部分５とにより、側面視三角形形状の各辺を形成するものからなり、前記接地脚部３における第１の部分４を接地側とした場合に、前記筒状支持部２に挿入支持されている携帯電話機ＰＴを接地面Ｓａに対して比較的大きな角度θ１  で起立保持することができ、前記接地脚部３における第２の部分５を接地側とした場合に、携帯電話機ＰＴを接地面Ｓａに対して比較的小さな角度θ２  で起立保持することができるようになっている。
【００１９】
前記スタンド１における筒状支持部２には、挿入支持する携帯電話機ＰＴの操作部などを外部操作可能なように所望の形態の抜き窓６、７、８および９が設けてある。前記スタンド１における筒状支持部２と接地脚部３とは、それぞれ折り畳み可能であり、折り畳んだ状態で偏平化することができ、撮影使用時以外は、偏平にして保管並びに持ち運びすることができるようになっている。
【００２０】
次いで、この発明になるスタンド１のための型抜きシートＳに関して、図３〜図６に示す４つの異なる実施例にもとづいて説明する。図３に示す第１の実施例になる型抜きシートＳ１  は、筒状支持部２と接地脚部３とが一枚シートにより形成され、筒状支持部２が接着タイプの構成のものであり、図４に示す第２の実施例になる型抜きシートＳ２  は、上記第１の実施例と同じく、筒状支持部２と接地脚部３とが一枚のシートにより形成され、筒状支持部２が巻き込みタイプのものである。
【００２１】
第１の実施例になる型抜きシートＳ１  は、筒状支持部２と接地脚部３とを有しており、前記筒状支持部２は、山折り線１０、１１、１２、１３によって、前壁１４、両側壁１５、１６、背壁１７（この第１および第２の実施例において、背壁１７は接地脚部３の一部を兼ねている）および糊代フラップ１８を区画形成するものからなっている。前記前壁１４には、携帯電話機ＰＴの操作部などを外部操作可能な抜き窓６、７が設けてあり、両側壁１５、１６には、必要に応じて抜き窓８、９が設けてある。前記背壁１７には、後述する接地脚部３の自由端部３ａが差し込まれる切込み１９が設けてある。
【００２２】
一方、前記型抜きシートＳ１  における接地脚部３は、谷折り線２０、２１および２２によって、前記筒状支持部２における背壁１７を兼ねる共用壁２３と、比較的短い長さ寸法Ｌ１  でなる第１の部分４と、比較的長い長さ寸法Ｌ２  でなる第２の部分５と、差し込みフラップ２４を区画形成するものからなっている。前記接地脚部３における第１の部分４の長さ寸法Ｌ１  並びに第２の部分５の長さ寸法Ｌ２  の選択的設計によって、図２各図に示す角度θ１  および角度θ２  を選択的に設計することができる。図には示されていないが、角度θ１  については、９０°に設計することもできる。
【００２３】
図３に示す実施例において、より具体的に、前記第１の部分４の長さ寸法Ｌ１  を約５０ｍｍとし、前記第２の部分５の長さ寸法Ｌ２  を約８５ｍｍとし、前記筒状支持部２における背壁１７（共用壁２３）の長さ方向の寸法を約８０ｍｍとした場合、図２各図に示す角度θ１  は、約８０°程度となり、角度θ２  は、約３０°程度となる。
【００２４】
図４に示す第２の実施例になる型抜きシートＳ２  は、上記する第１の実施例のものとほとんど同一の構成のものであり、唯一、前記第１の実施例における糊代フラップ１８に代えて、巻き込みフラップ２５を有するものからなっている。
【００２５】
次いで、図５に示す第３の実施例になる型抜きシートＳ３  は、筒状支持部２（図５Ａ）と接地脚部３（図５Ｂ）とが分離型であり、異なるシートにより形成されているものである。一方また、図６に示す第４の実施例になる型抜きシートＳ４  も、上記第３の実施例と同様に、筒状支持部２（図６Ａ）と接地脚部３（図６Ｂ）とが分離型であり、異なるシートにより形成されており、前記接地脚部３がアジャスト可能なように構成されているものである。
【００２６】
第３の実施例になる型抜きシートＳ３  は、筒状支持部２のための型抜きシートＳ３ａと、接地脚部３のための型抜きシートＳ３ｂとからなり、型抜きシートＳ３ａは、山折り線２６、２７、２８、２９によって、前壁３０、両側壁３１、３２、背壁３３および糊代フラップ３４を区画形成するものからなっている。前記前壁３０には、携帯電話機ＰＴの操作部などを外部操作可能な抜き窓６及び７が設けてあり、両側壁３１、３２には、必要に応じて抜き窓８、９が設けてある。前記背壁３３には、後述する接地脚部３の一方の自由端部３ａが差し込まれる切込み３５と、他方の自由端部３ｂが差し込まれる切込み３６とが設けてある。
【００２７】
一方、前記型抜きシートＳ３  における接地脚部３のための型抜きシートＳ３ｂは、谷折り線３７、３８および３９によって、比較的短い長さ寸法Ｌ１  でなる第１の部分４と、比較的長い長さ寸法Ｌ２  でなる第２の部分５と、筒状支持部２のための型抜きシートＳ３ａにおける切込み３５、３６に差し込まれる差し込みフラップ４０、４１を区画形成するものからなっている。前記接地脚部３における第１の部分４の長さ寸法Ｌ１  並びに第２の部分５の長さ寸法Ｌ２  の選択的設計により、図２各図に示す角度θ１  および角度θ２  を選択的に設計することができる。図には示されていないが、角度θ１  については、９０°に設計することもできる。
【００２８】
図６に示す第４の実施例になる型抜きシートＳ４  は、筒状支持部２のための型抜きシートＳ４ａと、接地脚部３のための型抜きシートＳ４ｂとからなり、上記する第３の実施例のものとほとんど同一の構成のものである。唯一、前記第３の実施例のものに対して、前記接地脚部３のための型抜きシートＳ４ｂがアジャスト可能なように形成されている。すなわち、接地脚部３のための型抜きシートＳ４ｂは、谷折り線４２、４３、４４により、前記筒状支持部２のための型抜きシートＳ４ａにおける背壁３３にあてがわれる背壁当て部４５と、比較的長い長さ寸法Ｌ２  でなる第２の部分５と、アジャスト連結によって比較的短い長さ寸法Ｌ１  でなる第１の部分４を形成する一対のアジャスト連結片４６、４７とを区画形成する。一方のアジャスト連結片４６には、切込４８が設けてあり、他方のアジャスト連結片４７には、前記切込４８に対して差し込まれる差し込み片４９が設けてある。
【００２９】
【発明の効果】
以上の構成になるこの発明の携帯電話機用スタンドによれば、紙製あるいはプラスチック製のシート材によって構成されるものであって、極めて簡単な構造であるので、製造が極めて容易であり、少ない部品数で構成されているので、多量生産に適合する点において極めて有効に作用するものといえる。
【００３０】
さらに、この発明になる携帯電話機用スタンドは、既存の各種携帯電話機にあって、ストレートタイプの撮影機能付き携帯電話機ＰＴ−Ｓ、並びに、折り畳みタイプの撮影機能付き携帯電話機ＰＴ−Ｆのいずれに対しても使用することができる点において極めて有効に作用するものといえる。
【００３１】
さらにまた、この発明になる携帯電話機用スタンドは、筒状支持部と接地脚部とが、それぞれ折り畳み可能であり、折り畳んだ状態で偏平化するものからなっており、保管並びに持ち運びに便利であり、その点においても極めて有効に作用するものといえる。
【００３２】
さらにまた、この発明になる携帯電話機用スタンドは、図２各図に示すようにして、異なる撮影形態に使用することができ、その点においても極めて有効に作用するものといえる。
【図面の簡単な説明】
【図１】図１は、この発明になる撮影機能付き携帯電話機用スタンド１の基本的な構成を示すものであり、当該スタンド１を接地脚部における第１の部分を接地側とし、これに仮想線で示すストレートタイプの撮影機能付き携帯電話機ＰＴ−Ｓを挿入セットした撮影使用状態の一例を示す概略的な斜視図である。
【図２】図２は、この発明になる撮影機能付き携帯電話機用スタンドを使用する異なる使用例を示すものであって、図２Ａは、スタンド１を接地脚部における第２の部分を接地側とし、これに折り畳みタイプの撮影機能付き携帯電話機ＰＴ−Ｆを挿入セットした撮影使用状態を示す概略的な側面図であり、図２Ｂは、同じく第２の部分を接地側とし、これにストレートタイプの撮影機能付き携帯電話機ＰＴ−Ｓを挿入セットして接写撮影の使用状態を示す概略的な側面図であり、図２Ｃは、図１に対応する概略的な側面図である。
【図３】図３は、筒状支持部と接地脚部とが一枚シートにより構成され、筒状支持部が接着タイプの第１実施例になる型抜きシートの概略的な平面図である。
【図４】図４は、筒状支持部と接地脚部とが一枚シートにより構成され、筒状支持部が巻き込みタイプの第２実施例になる型抜きシートの概略的な平面図である。
【図５】図５は、筒状支持部（図５Ａ）と接地脚部（図５Ｂ）とが分離型である第３実施例になる型抜きシートの概略的な平面図である。
【図６】図６は、筒状支持部（図６Ａ）と接地脚部（図６Ｂ）とが分離型であり、接地脚部がアジャスト可能な構成の第４実施例になる型抜きシートの概略的な平面図である。
【符号の説明】
ＰＴ  携帯電話機
ＰＴ−Ｓ  ストレートタイプの撮影機能付き携帯電話機
ＰＴ−Ｆ  折り畳みタイプの撮影機能付き携帯電話機
Ｃａ  ＣＣＤカメラ
１  撮影機能付き携帯電話機用スタンド
２  筒状支持部
３  接地脚部
Ｓａ  接地面
４  比較的短い長さ寸法でなる第１の部分
５  比較的長い長さ寸法でなる第２の部分
６、７、８、９  抜き窓
Ｓ  型抜きシート
Ｓ１  第１の実施例になる型抜きシート
Ｓ２  第２の実施例になる型抜きシート
Ｓ３  第３の実施例になる型抜きシート
Ｓ３ａ  型抜きシートＳ３  における筒状支持部のための型抜きシート
Ｓ３ｂ  型抜きシートＳ３  における接地脚部のための型抜きシート
Ｓ４  第４の実施例になる型抜きシート
Ｓ４ａ  型抜きシートＳ４  における筒状支持部のための型抜きシート
Ｓ４ｂ  型抜きシートＳ４  における接地脚部のための型抜きシート
１０、１１、１２、１３  山折り線
１４  前壁
１５、１６  両側壁
１７  背壁
１８  糊代フラップ
１９  切込み
２０、２１、２２  谷折り線
２３  共用壁
２４  差し込みフラップ
２５  巻き込みフラップ
Ｌ１    比較的短い長さ寸法
Ｌ２    比較的長い長さ寸法
θ１    比較的大きい角度
θ２    比較的小さい角度
【図１】
2004328672.tif 000003
【図２】
2004328672.tif 000004
【図３】
2004328672.tif 000005
【図４】
2004328672.tif 000006
【図５】
2004328672.tif 000007
【図６】
2004328672.tif 000008